(57)【要約】【目的】  燃料電池を電源とする機器において必要な電力を確保すると共に、機器内の電源の設置スペースを低減する。【構成】  デジタルカメラ１０では、液晶表示パネル１２の裏面に太陽電池パネル１４と燃料電池パネル１６が重ねて設けられている。このため、デジタルカメラ１０を薄型化でき、また、限られたスペースで高出力が得られる。【選択図】  図２
2005116364.tif 000002
【特許請求の範囲】
【請求項１】
画像を表示する時以外は光を透過する表示パネルと、
前記表示パネルの裏面に重ねて設けられ、前記表示パネルを透過した光によって発電される太陽電池パネルと、
前記太陽電池パネルの受光面の裏面に重ねて設けられ、前記太陽電池パネルと共に機器で消費される電力を発電する燃料電池パネルと、
を有することを特徴とする燃料電池搭載機器。
【請求項２】
前記燃料電池パネルは、前記太陽電池パネルの前記裏面に面して配置され、前記燃料電池パネルで消費される燃料を前記燃料電池パネルの発電部へ供給すると共に、前記燃料電池パネルの発電に伴って生成される副生成物である気体を排出する気体排出層を有することを特徴とする請求項１に記載の燃料電池搭載機器。
【請求項３】
画像を表示する表示パネルと、
前記表示パネルの表面に重ねて設けられ、外光によって発電される透明な太陽電池パネルと、
前記表示パネルの裏面に重ねて設けられ、前記太陽電池パネルと共に機器で消費される電力を発電する燃料電池パネルと、
を有することを特徴とする燃料電池搭載機器。
【請求項４】
前記燃料電池パネルは、前記表示パネルの前記裏面に面して配置され、前記燃料電池パネルで消費される燃料を前記燃料電池パネルの発電部へ供給すると共に、前記燃料電池パネルの発電に伴って生成される副生成物である気体を排出する気体排出層を有することを特徴とする請求項３に記載の燃料電池搭載機器。
【請求項５】
表裏両面に向って発光して画像を表示する発光表示パネルと、
前記発光表示パネルの裏面に重ねて設けられ、前記発光表示パネルからの発光によって発電される太陽電池パネルと、
前記太陽電池パネルの受光面の裏面に重ねて設けられ、前記太陽電池パネルと共に機器で消費される電力を発電する燃料電池パネルと、
を有することを特徴とする燃料電池搭載機器。
【請求項６】
前記燃料電池パネルは、前記太陽電池パネルの前記裏面に面して配置され、前記燃料電池パネルで消費される燃料を前記燃料電池パネルの発電部へ供給すると共に、前記燃料電池パネルの発電に伴って生成される副生成物である気体を排出する気体排出層を有することを特徴とする請求項５に記載の燃料電池搭載機器。
【請求項７】
表面に向って発光して画像を表示する発光表示パネルと、
前記発光表示パネルの表面に重ねて設けられ、前記発光表示パネルからの発光によって発電される透明な太陽電池パネルと、
前記発光表示パネルの裏面に重ねて設けられ、前記太陽電池パネルと共に機器で消費される電力を発電する燃料電池パネルと、
を有することを特徴とする燃料電池搭載機器。
【請求項８】
前記燃料電池パネルは、前記発光表示パネルの前記裏面に面して配置され、前記燃料電池パネルで消費される燃料を前記燃料電池パネルの発電部へ供給すると共に、前記燃料電池パネルの発電に伴って生成される副生成物である気体を排出する気体排出層を有することを特徴とする請求項７に記載の燃料電池搭載機器。
【請求項９】
画像を表示する第１表示パネルと、
前記第１表示パネルの裏面側に設けられ、画像を表示する第２表示パネルと、
前記第１表示パネルと前記第２表示パネルとの間に設けられたシート状の燃料電池と、を有する燃料電池搭載機器であって、
前記燃料電池は、環状に曲げられて中空部を形成され、前記中空部から空気を取込んで発電することを特徴とする燃料電池搭載機器。
【請求項１０】
前記第１表示パネルと前記第２表示パネルの少なくとも一方は、画像を表示する時以外は光を透過し、
前記燃料電池と前記第１表示パネルとの間、及び前記燃料電池と前記第２表示パネルとの間の少なくとも一方に配置され、前記第１表示パネル、及び前記第２表示パネルの少なくとも一方を透過した光によって発電される太陽電池パネルを有することを特徴とする請求項９に記載の燃料電池搭載機器。
【請求項１１】
前記太陽電池パネルの受光面の裏面に面して配置され、前記燃料電池で消費される燃料を前記燃料電池の発電部へ供給すると共に、前記燃料電池の発電に伴って生成される副生成物である気体を排出する気体排出層を有することを特徴とする請求項１０に記載の燃料電池搭載機器。
【請求項１２】
前記気体排出層から排出される気体が二酸化炭素であり、前記気体排出層の周囲に二酸化炭素吸収材を設けたことを特徴とする請求項１１に記載の燃料電池搭載機器。
【請求項１３】
前記燃料電池と前記太陽電池パネルを直列接続したことを特徴とする請求項１０乃至１２の何れかに記載の燃料電池搭載機器。
【請求項１４】
前記燃料電池及び前記太陽電池パネルの少なくとも一方で発電された電力によって充電される２次電池を有することを特徴とする請求項１０乃至１３の何れかに記載の燃料電池搭載機器。
【発明の詳細な説明】
【技術分野】
【０００１】
本発明は、燃料電池を電源とする燃料電池搭載機器に関する。
【背景技術】
【０００２】
従来から表示パネルの裏面に面して太陽電池パネルや燃料電池パネルを配置した携帯電話やノートパソコン等が考案されている（例えば、特許文献１、２参照）。又、太陽電池や燃料電池を他の電源と組合せた構成が開示されている（例えば、特許文献３参照）。
【０００３】
ところで、太陽電池や燃料電池は、発電容量がセル面積に比例して決まる。このため、発電容量を大きくするためにはセル面積を増やせばいいが、携帯機器ではスペースに限りがあり、必要な発電容量が得られないという問題があった。
【特許文献１】特開２００２−５５６２８号公報
【特許文献２】特開２００２−４９４４０号公報
【特許文献３】特開２００１−３０７７６３号公報
【発明の開示】
【発明が解決しようとする課題】
【０００４】
本発明は上記事実を考慮してなされたものであり、燃料電池を電源とする燃料電池搭載機器において、必要な発電容量を確保すると共に、機器内の電源の設置スペースを低減することを目的とする。
【課題を解決するための手段】
【０００５】
請求項１に記載の燃料電池搭載機器は、画像を表示する時以外は光を透過する表示パネルと、前記表示パネルの裏面に重ねて設けられ、前記表示パネルを透過した光によって発電される太陽電池パネルと、前記太陽電池パネルの受光面の裏面に重ねて設けられ、前記太陽電池パネルと共に機器で消費される電力を発電する燃料電池パネルと、を有することを特徴とする。
【０００６】
請求項１に記載の燃料電池搭載機器では、表示パネルの裏面に重ねて太陽電池パネルが設けられている。表示パネルは、画像を表示する時以外は、光を透過するので、太陽電池パネルは、表示パネルを透過した光によって発電される。
【０００７】
ここで、太陽電池パネルの設置スペースとしては受光することができる領域、即ち表示パネルの裏面に面したスペースに限られるので、太陽電池パネルのみでは機器を稼動させるのに十分な電力量を発電できないことも考えられる。しかし、太陽電池パネルの受光面の裏面に重ねて燃料電池パネルが設けられており、この燃料電池パネルが、太陽電池パネルと共に機器で消費される電力を発電するので、機器を稼動させるのに十分な電力量が得られる。
【０００８】
また、機器の電源を太陽電池パネルと燃料電池パネルというパネル状のものとし、これらを表示パネルの裏面に重ねて配置したので、機器内の電源を省スペース化でき、機器を薄型化できる。
【０００９】
請求項２に記載の燃料電池搭載機器は、請求項１に記載の燃料電池搭載機器であって、前記燃料電池パネルは、前記太陽電池パネルの前記裏面に面して配置され、前記燃料電池パネルで消費される燃料を前記燃料電池パネルの発電部へ供給すると共に、前記燃料電池パネルの発電に伴って生成される副生成物である気体を排出する気体排出層を有することを特徴とする。
【００１０】
請求項２に記載の燃料電池搭載機器では、燃料電池の気体排出層が、太陽電池パネルの裏面に面して配置されている。この気体排出層は、燃料電池パネルの発電部へ燃料を供給すると共に、燃料電池パネルの発電に伴って生成される副生成物である気体を排出する。
【００１１】
このため、気体排出層に近接された太陽電池パネル、及び燃料電池パネルの発電部が、気体排出層から排出される気体によって冷却されるので、機器内の温度上昇を防止できる。
【００１２】
請求項３に記載の燃料電池搭載機器は、画像を表示する表示パネルと、前記表示パネルの表面に重ねて設けられ、外光によって発電される透明な太陽電池パネルと、前記表示パネルの裏面に重ねて設けられ、前記太陽電池パネルと共に機器で消費される電力を発電する燃料電池パネルと、を有することを特徴とする。
【００１３】
請求項３に記載の燃料電池搭載機器では、表示パネルの表面に太陽電池パネルが重ねて設けられている。この太陽電池パネルは透明なので、表示パネルに表示された画像を視認できる。また、太陽電池パネルを表示パネルの表面に設けて露出させたことによって受光できる面積が表示パネルの面積に制限されないので、セル面積を拡大できる。従って、太陽電池パネルの発電容量を拡大できる。
【００１４】
さらに、燃料電池パネルが、表示パネルの裏面に重ねて設けられており、太陽電池パネルと共に機器で消費される電力を発電するので、機器を稼動させるのに十分な電力量が得られる。
【００１５】
また、表示パネルの表面及び裏面にパネル状の電源を設けたことによって、機器を薄型化できる。
【００１６】
請求項４に記載の燃料電池搭載機器は、請求項３に記載の燃料電池搭載機器であって、前記燃料電池パネルは、前記表示パネルの前記裏面に面して配置され、前記燃料電池パネルで消費される燃料を前記燃料電池パネルの発電部へ供給すると共に、前記燃料電池パネルの発電に伴って生成される副生成物である気体を排出する気体排出層を有することを特徴とする。
【００１７】
請求項４に記載の燃料電池搭載機器では、気体排出層が表示パネルの裏面に面して配置されているので、表示パネル、及び燃料電池パネルの発電部が、気体排出層から排出される気体によって冷却される。また、太陽電池パネルから機器内への伝熱が防がれる。
【００１８】
請求項５に記載の燃料電池搭載機器は、表裏両面に向って発光して画像を表示する発光表示パネルと、前記発光表示パネルの裏面に重ねて設けられ、前記発光表示パネルからの発光によって発電される太陽電池パネルと、前記太陽電池パネルの受光面の裏面に重ねて設けられ、前記太陽電池パネルと共に機器で消費される電力を発電する燃料電池パネルと、を有することを特徴とする。
【００１９】
請求項５に記載の燃料電池搭載機器では、発光表示パネルが表裏両面に向って発光して画像を表示する。この発光表示パネルの裏面には太陽電池パネルが重ねて設けられている。このため、太陽電池パネルは、発光表示パネルからの発光によって発電される。
【００２０】
また、太陽電池パネルの受光面の裏面には燃料電池パネルが重ねて設けられている。この燃料電池パネルは、太陽電池パネルと共に機器で消費される電力を発電する。このように、パネル状の電源を発光表示パネルの裏面に重ねて設けたので、機器を薄型化できる。
【００２１】
請求項６に記載の燃料電池搭載機器は、請求項５に記載の燃料電池搭載機器であって、前記燃料電池パネルは、前記太陽電池パネルの前記裏面に面して配置され、前記燃料電池パネルで消費される燃料を前記燃料電池パネルの発電部へ供給すると共に、前記燃料電池パネルの発電に伴って生成される副生成物である気体を排出する気体排出層を有することを特徴とする。
【００２２】
請求項６に記載の燃料電池搭載機器では、気体排出層から排出された気体によって太陽電池パネル及び燃料電池パネルの発電部が冷却されるので、機器の内部の温度上昇が防止される。
【００２３】
請求項７に記載の燃料電池搭載機器は、表面に向って発光して画像を表示する発光表示パネルと、前記発光表示パネルの表面に重ねて設けられ、前記発光表示パネルからの発光によって発電される透明な太陽電池パネルと、前記発光表示パネルの裏面に重ねて設けられ、前記太陽電池パネルと共に機器で消費される電力を発電する燃料電池パネルと、を有することを特徴とする。
【００２４】
請求項７に記載の燃料電池搭載機器では、太陽電池パネルが発光表示パネルの表面に重ねて設けられ、燃料電池パネルが発光表示パネルの裏面に重ねて設けられている。太陽電池パネルは透明なので発光表示パネルの画面は視認できる。また、発光表示パネルが表面に向って発光すると太陽電池パネルは発電される。また、燃料電池パネルは、太陽電池と共に機器で消費される電力を発電する。このように、パネル状の電源を発光表示パネルの表裏両面に重ねて設けたので、機器を薄型化できる。
【００２５】
請求項８に記載の燃料電池搭載機器は、請求項７に記載の燃料電池搭載機器であって、前記燃料電池パネルは、前記発光表示パネルの前記裏面に面して配置され、前記燃料電池パネルで消費される燃料を前記燃料電池パネルの発電部へ供給すると共に、前記燃料電池パネルの発電に伴って生成される副生成物である気体を排出する気体排出層を有することを特徴とする。
【００２６】
請求項８に記載の燃料電池搭載機器では、気体排出層から排出される気体によって燃料電池パネルの発電部及び発光表示パネルが冷却されるので、機器の内部の温度上昇が防止される。
【００２７】
請求項９に記載の燃料電池搭載機器は、画像を表示する第１表示パネルと、前記第１表示パネルの裏面側に設けられ、画像を表示する第２表示パネルと、前記第１表示パネルと前記第２表示パネルとの間に設けられたシート状の燃料電池と、を有する燃料電池搭載機器であって、前記燃料電池は、環状に曲げられて中空部を形成され、前記中空部から空気を取込んで発電することを特徴とする。
【００２８】
請求項９に記載の燃料電池搭載機器では、第１表示パネルの裏面側に第２表示パネルが設けられている。この第１表示パネルと第２表示パネルとの間にはシート状の燃料電池が設けられている。
【００２９】
ここで、燃料電池は、第１、及び第２表示パネルによってセル面を塞がれているが、環状に曲げられて中空部を形成しており、この中空部から空気を取込んで発電することができる。
【００３０】
請求項１０に記載の燃料電池搭載機器は、請求項９に記載の燃料電池搭載機器であって、前記第１表示パネルと前記第２表示パネルの少なくとも一方は、画像を表示する時以外は光を透過し、前記燃料電池と前記第１表示パネルとの間、及び前記燃料電池と前記第２表示パネルとの間の少なくとも一方に配置され、前記第１表示パネル、及び前記第２表示パネルの少なくとも一方を透過した光によって発電される太陽電池パネルを有することを特徴とする。
【００３１】
請求項１０に記載の燃料電池搭載機器では、環状に曲げられたシート状の燃料電池と第１表示パネルとの間、及び上記燃料電池と第２表示パネルとの間の少なくとも一方に太陽電池パネルが配置されている。また、第１表示パネル及び第２表示パネルの少なくとも一方は画像を表示する時以外は光を透過する。このため、太陽電池パネルは、第１表示パネル及び第２表示パネルの少なくとも一方を透過した光によって発電される。
【００３２】
このように、パネル状、及び環状に曲げられたシート状の電源を第１表示パネルと第２表示パネルとの間に設けたので、第１表示パネルと第２表示パネルとの間隔を狭くでき、機器を薄型化できる。
【００３３】
請求項１１に記載の燃料電池搭載機器は、請求項１０に記載の燃料電池搭載機器であって、前記太陽電池パネルの受光面の裏面に面して配置され、前記燃料電池で消費される燃料を前記燃料電池の発電部へ供給すると共に、前記燃料電池の発電に伴って生成される副生成物である気体を排出する気体排出層を有することを特徴とする。
【００３４】
請求項１１に記載の燃料電池搭載機器では、気体排出層から排出される気体によって太陽電池パネル及び燃料電池の発電部が冷却されるので、機器の内部の温度上昇が防止される。
【００３５】
請求項１２に記載の燃料電池搭載機器は、請求項１１に記載の燃料電池搭載機器であって、前記気体排出層から排出される気体が二酸化炭素であり、前記気体排出層の周囲に二酸化炭素吸収材を設けたことを特徴とする。
【００３６】
請求項１２に記載の燃料電池搭載機器では、気体排出層の周囲に設けられた二酸化炭素吸収部材が、気体排出層から排出された二酸化炭素を吸収する。このため、この燃料電池搭載機器から排出される二酸化炭素の量を低減できる。
【００３７】
請求項１３に記載の燃料電池搭載機器は、請求項１０乃至１２の何れかに記載の燃料電池搭載機器であって、前記燃料電池と前記太陽電池パネルを直列接続したことを特徴とする。
【００３８】
請求項１３に記載の燃料電池搭載機器では、燃料電池と太陽電池パネルとが直列接続されているので、高出力が得られる。
【００３９】
請求項１４に記載の燃料電池搭載機器は、請求項１０乃至１３の何れかに記載の燃料電池搭載機器であって、前記燃料電池及び前記太陽電池パネルの少なくとも一方で発電された電力によって充電される２次電池を有することを特徴とする。
【００４０】
請求項１４に記載の燃料電池搭載機器では、２次電池が、燃料電池及び太陽電池パネルの少なくとも一方で発電された電力によって充電される。このため、燃料電池及び太陽電池パネルが発電できない時でも機器を稼動できる。
【発明の効果】
【００４１】
本発明は上記構成にしたので、燃料電池を電源とする燃料電池搭載機器において、必要な発電容量を確保すると共に、機器内の電源の設置スペースを低減できる。
【発明を実施するための最良の形態】
【００４２】
以下に図面を参照しながら第１実施形態について説明する。
【００４３】
図１（Ａ）、（Ｂ）に示すように、燃料電池搭載機器としてのデジタルカメラ１０の背面には、液晶表示パネル１２が設けられている。そして、図２に示すように、この液晶表示パネル１２の裏面には太陽電池パネル１４が重ねて設けられている。この太陽電池パネル１４は受光面を液晶表示パネル１２側に向けている。
【００４４】
ここで、液晶表示パネル１２は、画像を表示する時以外は、透明であり、光を透過する。また、液晶表示パネル１２は、フロントライト（図示省略）によって前面（表面）を照明されるフロントライト反射型の液晶パネルで、後面（裏面）側にリフレクタを備えない。このため、液晶表示パネル１２が画像を表示しない時、太陽電池パネル１４の受光面には液晶表示パネル１２を透過した光が入射し、太陽電池パネル１４は発電する。
【００４５】
また、燃料電池パネル１６が、太陽電池パネル１４の受光面（液晶表示パネル１２に重ねられた面）の裏面に重ねて設けられている。この燃料電池パネル１６は、メタノール水溶液（ＣＨ3ＯＨ＋Ｈ2Ｏ）と酸素（Ｏ2）の化学反応によって発電を起し、副生成物として水（Ｈ2Ｏ）、及び二酸化炭素（ＣＯ2）を生成するメタノール直接型燃料電池である。また、燃料電池パネル１６は、５層構造で、太陽電池パネル１４側からカーボンペーパー層１６Ａ、燃料極触媒層１６Ｂ、プロトン伝導膜層１６Ｃ、空気極触媒層１６Ｄ、カーボンペーパー層１６Ｅの順に各層が積層されている。
【００４６】
カーボンペーパー層１６Ａは、図示しない燃料供給手段によってメタノールを供給され、このメタノールを、燃料極触媒層１６Ｂ、プロトン伝導膜層１６Ｃ、及び空気極触媒層１６Ｄで構成される発電部へ供給する。また、カーボンペーパー層１６Ａ、及びカーボンペーパー層１６Ｅには、配線（図示省略）が接続されている。
【００４７】
燃料極触媒層１６Ｂでは、メタノールが供給され、電圧が印加されると、メタノールが化学反応式（１）に示すように、二酸化炭素、水素イオン、及び電子に分解される。
【００４８】
ＣＨ3ＯＨ＋Ｈ2Ｏ→ＣＯ2＋６Ｈ+＋ｅ-  …（１）
二酸化炭素は、カーボンペーパー層１６Ａから放出される。ここで、カーボンペーパー層１６Ａに重ねて設けられている太陽電池パネル１４は、発電する際に発熱するが、カーボンペーパー層１６Ａから排出される二酸化炭素によって冷却される。また、この二酸化炭素によって燃料電池パネル１６の発電部も冷却される。これによって、デジタルカメラ１０の内部の温度上昇が低減される。
【００４９】
また、水素イオンは、プロトン伝導膜１６Ｃを透過して空気極触媒層１６Ｄへ移動する。そして、電子は、カメラの各部が駆動されている時は、カメラの各部へ向い、カメラの各部が駆動されていない時は、２次電池５１（図３参照）へ向かい、２次電池５１を充電させる。
【００５０】
空気極触媒層１６Ｄへ移動した水素イオンＨ+は、デジタルカメラ１０の側面に設けられた通気孔１８からデジタルカメラ１０内へ流入し、カーボンペーパー層１６Ｅを透過して空気極触媒層１６Ｄへ流入した酸素、及び電子と結合して水となる。
【００５１】
このように、パネル状の電源を液晶表示パネル１２の裏面に重ねて設けたので、電源が薄くなり、デジタルカメラ１０を薄型化できる。また、これらの電源を重ねて配置したことによってセル面積が大きくなり、発電容量が大きくなる。
【００５２】
図３には、本実施形態のデジタルカメラ１０の回路構成を示すブロック図が示されている。
【００５３】
デジタルカメラ１０には、撮影レンズ２６、シャッタ２８、絞り２９及びＣＣＤ撮像素子３０が備えられている。撮影レンズ２６、シャッタ２８、及び絞り２９を経由してＣＣＤ撮像素子３０上に結像された被写体像は、ＣＣＤ撮像素子３０によってアナログ画像信号に変換される。ここで、シャッタ２８によって、ＣＣＤ撮像素子３０からアナログ画像信号が読み出される際のスミアの発生が抑制される。
【００５４】
また、デジタルカメラ１０には、ストロボ装置３２が内蔵されている。このストロボ装置３２は、低照度時、又は低照度時以外の必要時に閃光を発光し、被写体に補助光を照射する。
【００５５】
また、デジタルカメラ１０には、アナログ信号処理部３４、Ａ／Ｄ変換部３６、デジタル信号処理部３８、テンポラリメモリ４０、圧縮伸長部４２、内蔵メモリ（又はメモリカード）４４、液晶表示パネル１２、及び駆動回路４８が備えられている。
【００５６】
ＣＣＤ撮像素子３０は、駆動回路４８内のタイミング発生回路（図示省略）によって発生されたタイミングで駆動され、アナログ画像信号を出力する。また、駆動回路４８には、撮影レンズ２６のＡＦ駆動を制御するＡＦ制御回路、撮影レンズ２６のズーム駆動を制御するズーム制御回路、シャッタ２８の駆動を制御するシャッタ制御回路、絞り２９の駆動を制御する絞り制御回路等が含まれる。
【００５７】
ＣＣＤ撮像素子３０から出力されたアナログ画像信号は、アナログ信号処理部３４でアナログ信号処理され、Ａ／Ｄ変換部３６でＡ／Ｄ変換され、そして、デジタル信号処理部３８でデジタル信号処理される。デジタル信号処理されたデジタル画像データは、テンポラリメモリ４０に一時的に格納される。
【００５８】
テンポラリメモリ４０に格納されたデジタル画像データは、圧縮伸長部４２で圧縮されて内蔵メモリ（又はメモリカード）４４に記録される。尚、撮影モードによっては、圧縮の過程を省いて内蔵メモリ４４に直接記録しても良い。そして、テンポラリメモリ４０に格納されたデジタル画像データは液晶表示パネル１２に読み出され、液晶表示パネル１２に被写体像が映し出される。
【００５９】
また、デジタルカメラ１０には、デジタルカメラ１０全体の制御を司るＣＰＵ５０、ズーム操作スイッチ等を含む操作スイッチ群５２、及びシャッタボタン５４が備えられている。操作スイッチ群５２を操作して所望の撮影状態に設定し、シャッタボタン５４を押下することによって、写真撮影が行われる。
【００６０】
また、デジタルカメラ１０には、２次電池５１、コンバータ５３、太陽電池パネル１４、及び燃料電池パネル１６が備えられており、デジタルカメラ１０を構成する各部は、太陽電池パネル１４、及び燃料電池パネル１６で発電される電気エネルギーで、又は太陽電池パネル１４、及び燃料電池パネル１６で発電されて２次電池５１にバッファされた電気エネルギーで作動される。なお、太陽電池パネル１４と燃料電池パネル１６は直列接続とされており、高出力が得られる。
【００６１】
図１（Ｂ）に示すように、デジタルカメラ１０の背面には、ファインダ５６、ファインダＬＥＤ５８、撮影／再生モード選択スイッチ６０、撮影モード選択ダイヤル６２、マルチファンクションの十字キー６４、カメラの動作モードや十字キー６４の機能等を文字やアイコンで表示するドットマトリクスの液晶表示機６６、バックスイッチ６８、メニュー／ＯＫスイッチ７０、及び液晶表示パネル１２等が設けられている。
【００６２】
また、デジタルカメラ１０の上面には、電源スイッチ７４及びシャッターボタン５４が設けられている。
【００６３】
デジタルカメラ１０は、撮影／再生モード選択スイッチ６０によって撮影モード、又は再生モードが選択できるようになっており、撮影モード時には撮影モード選択ダイヤル６２によってマニュアル撮影、オート撮影、動画、ボイスレコーダー等の各モードが選択できるようになっている。尚、ボイスレコーダは、音声のみを記録するモードである。
【００６４】
液晶表示パネル１２は、電子ビューファインダとして使用できると共に、内蔵メモリ（又はメモリカード）４４から読み出した再生画像等を表示することができる。また、画像モニタ４６は、撮影可能コマ数や再生コマ番号の表示、ストロボ発光の有無、マクロモード表示、記録画質（クオリティー）表示、画素数表示等の情報も表示され、各種のメニュー等がメニュー／ＯＫボタン７０や十字キー６４の操作に応じて表示される。
【００６５】
次に、第２実施形態について説明する。なお、第１実施形態と同様の構成には同一の符号を付し、説明は省略する。
【００６６】
図４に示すように、デジタルカメラ１１の背面には有機ＥＬ表示パネル１３が設けられている。この有機ＥＬ表示パネル１３の裏面には太陽電池パネル１４が重ねて設けられている。有機ＥＬ表示パネル１３は、表裏両面に向って発光し、表面に正転画像を表示する。このため、太陽電池パネル１４は、有機ＥＬ表示パネル１３からの発光によって発電される。
【００６７】
また、太陽電池パネル１４の受光面の裏面には燃料電池パネル１６が重ねて設けられている。この燃料電池パネル１６は、第１実施形態と同様に、気体排出層であるカーボンペーパー層１６Ａを太陽電池パネル１６の裏面に重ねて設けられている。このため、カーボンペーパー層１６Ａから排出された二酸化炭素によって太陽電池パネル１６、及び燃料電池パネル１６の発電部が冷却され、デジタルカメラ１１の内部の温度上昇が防止される。
【００６８】
次に、第３実施形態について説明する。なお、第１、第２実施形態と同様の構成には同一の符号を付し、説明は省略する。
【００６９】
図５に示すように、デジタルカメラ２０の背面には液晶表示パネル１２が設けられている。この液晶表示パネル１２の表面には太陽電池パネル２２が重ねて設けられている。この太陽電池パネル２２は透明であり、太陽電池パネル２２を通して液晶表示パネル１２の表示画像を視認できる。
【００７０】
また、液晶表示パネル１２の裏面には燃料電池パネル１６が重ねて設けられている。この燃料電池パネル１６は、気体排出層であるカーボンペーパー層１６Ａを液晶表示パネルの裏面に重ねて設けられている。このため、カーボンペーパー層１６Ａから排出された二酸化炭素によって液晶表示パネル１２、及び燃料電池パネル１６の発電部が冷却され、また、太陽電池パネル２２からデジタルカメラ２０内部への伝熱が防がれるので、デジタルカメラ２０の内部の温度上昇が防止される。
【００７１】
次に、第４実施形態について説明する。なお、第１乃至第３実施形態と同様の構成には同一の符号を付し、説明は省略する。
【００７２】
図６に示すように、デジタルカメラ２１の背面には有機ＥＬ表示パネル２３が設けられている。この有機ＥＬ表示パネル２３は、表面側に向かって発光して画像を表示する。また、太陽電池パネル２２が有機ＥＬ表示パネル２３の表面に重ねて設けられている。この太陽電池パネル２３は透明であり、太陽電池パネル２２を通して有機ＥＬ表示パネル２３の表示画像を視認できる。また、太陽電池パネル２２は表裏両面が受光面とされており、外光、及び有機ＥＬ表示パネル２３からの発光を受光して発電する。
【００７３】
また、有機ＥＬ表示パネル２３の裏面には燃料電池パネル１６が設けられており、燃料電池パネル１６は、カーボンペーパー層１６Ａを有機ＥＬ表示パネル２３側に向けて設けられている。このため、カーボンペーパー層１６Ａから排出された二酸化炭素によって有機ＥＬ表示パネル２３、及び燃料電池パネル１６の発電部が冷却されるので、デジタルカメラ２１の内部の温度上昇が防止される。
【００７４】
次に、第５実施形態について説明する。なお、第１乃至第４実施形態と同様の構成には同一の符号を付し、説明は省略する。
【００７５】
図７（Ａ）、（Ｂ）に示すように、カメラ付携帯電話１００は、一方の面に第１液晶表示パネル１０２を備え、他方の面に第２液晶表示パネル１０４を備える第１筐体１０６と、キーボード１０８を備える第２筐体１１０とがヒンジ１１２によって連結されて構成されている。第１筐体１０６は、ヒンジ１１２によって、第２筐体１１０のキーボード１０８が設けられたキーボード面１１０Ａに沿って回転可能とされている。
【００７６】
閉じられた際にキーボード面１１０Ａに対面する第１筐体１０６の第１面１０６Ａには、第２液晶表示パネル１０４、第１撮影レンズ１１４、第１ストロボ装置１１６が設けられ、第１面１０６Ａの裏面である第２面１０６Ｂには、第１液晶表示パネル１０２、スピーカ１１８が設けられている。また、第１筐体１０６には、第１撮影レンズ１１４とＣＣＤ撮像素子（図示省略）を少なくとも備える撮像ユニット（図示省略）が内蔵されている。また、側面には第１シャッタボタン１２０が設けられている。
【００７７】
また、第２筐体１１０の側面には、第２シャッタボタン１２２が設けられ、キーボード面１１０Ａの裏面１１０Ｂには第２撮影レンズ１２４、第２ストロボ装置１２６、マイク１２８が設けられている。
【００７８】
カメラ付携帯電話１００は、閉じた状態でも、第１筐体１０６の側面に設けられた第１シャッタボタン１２０を押して、第２撮影レンズ１２４、第２ストロボ装置１２６によって撮影ができるようになっている。また、カメラ付携帯電話１００は、閉じた状態でもマイク１２８によって通話ができるようになっている。
【００７９】
図８に示すように、第１筐体１０６の第１液晶表示パネル１０２と第２液晶表示パネルとの間には、燃料電池１３０が設けられている。燃料電池１３０は、シート状で、矩形柱形状に折り曲げられて中空部１３２を形成されている。また、燃料電池１３０は、外側のセル面を第１液晶表示パネル１０２及び第２液晶表示パネル１０４に密着させている。
【００８０】
燃料電池１３０は、５層構造で、中空部１３２に面する最も内側からカーボンペーパー層１３０Ａ、空気極触媒層１３０Ｂ、プロトン伝導膜層１３０Ｃ、燃料極触媒層１３０Ｄ、及びカーボンペーパー層１３０Ｅの順に各層が積層されている。
【００８１】
また、図７（Ａ）、（Ｂ）に示すように、第１筐体１０６の側面には中空部１３２に面して空気孔１３４が形成されている。このため、空気孔１３４から第１筐体１０６内の中空部１３２に流入した空気はカーボンペーパー層１３０Ａを透過して空気極触媒層１３０Ｂへ流入する。これによって、セル面を第１液晶表示パネル１０２及び第２液晶表示パネル１０４によって塞がれた燃料電池１３０へ酸素を供給し、発電させることができる。
【００８２】
次に、第６実施形態について説明する。なお、第１乃至第５実施形態と同様の構成には同一の符号を付し、説明は省略する。
【００８３】
図９に示すように、カメラ付携帯電話１０１は、第１液晶表示パネル１０２と燃料電池１３０との間、及び第２液晶表示パネル１０４と燃料電池１３０との間にそれぞれ太陽電池パネル１４が設けられている。この太陽電池パネル１４は、第１液晶表示パネル１０２、第２液晶表示パネル１０４を透過した光によって発電される。
【００８４】
また、２次電池５１が燃料電池１３０に隣接して設けられている。この２次電池５１は、燃料電池１３０及び太陽電池パネル１４で発電された電力によって充電される。
【００８５】
また、カーボンペーパー層１３０Ａが太陽電池パネル１４に面して配置されているので、太陽電池１４及び燃料電池１３０の発電部は、カーボンペーパー層１３０Ａから排出された二酸化炭素によって冷却される。
【００８６】
また、カーボンペーパー層１３０Ａの周囲には二酸化炭素吸収シート９６が設けられており、カーボンペーパー層１３０Ａから排出された二酸化炭素がこの二酸化炭素吸収シート９６に吸収される。これによって、二酸化炭素が第１筐体１０６から排出されず、環境破壊を防止できる。
【００８７】
なお、第１乃至第４実施形態と同様、燃料電池１３０と太陽電池パネル１４は直列接続とされているので、高出力が得られる。
【００８８】
次に、第７実施形態について説明する。なお、第１乃至第６実施形態と同様の構成には同一の符号を付し、説明は省略する。
【００８９】
図１０に示すように、デジタルビデオカメラ９０には、液晶モニタユニット９２が回動可能に連結されている。この液晶モニタユニット９２の側面には通気孔９３が設けられ、液晶モニタユニット９２内に空気が流入できるようになっている。また、液晶モニタユニット９２の上面には、燃料タンク９４が着脱可能となっている。液晶モニタユニット９２の上面には燃料供給口９２Ａが設けられ、燃料タンク９４の下面には燃料供給口９２Ａに接続される燃料供給口９４Ａが設けられている。燃料供給口９２Ａにはフェルト９５が詰められており、燃料は、このフェルト９５から後述する燃料電池パネル１６のカーボンペーパー層１６Ａへ供給される。
【００９０】
また、液晶モニタユニット９２の展開された際に撮影者側を向く面には液晶表示パネル１２が設けられている。この液晶表示パネル１２は画像を表示する時以外は透明で光を透過する。この液晶表示パネル１２の裏面には太陽電池パネル１４が重ねて設けられている。この太陽電池パネル１４は液晶表示パネル１２を透過した光によって発電される。
【００９１】
また、太陽電池パネル１４の受光面の裏面には燃料電池パネル１６が重ねて設けられている。この燃料電池パネル１６は、カーボンペーパー層１６Ａを太陽電池パネル１４に重ねて設けられているので、カーボンペーパー層１６Ａから排出された二酸化炭素によって太陽電池パネル１４、及び燃料電池パネル１６の発電部が冷却される。
【００９２】
このように、液晶表示パネル１２の裏面側にパネル状の電源を重ねて設けたので、電源を薄くでき、液晶モニタユニット９２を薄型化できる。また、電源のセル面積を拡大でき、電源出力を上げることができる。なお、太陽電池パネル１４と燃料電池１３０は直列接続とされており、高出力が得られる。
【００９３】
また、燃料電池パネル１６の下部には、二酸化炭素吸収シート９６が設けられている。このため、液晶モニタユニット９２から排出される二酸化炭素の量を低減でき、環境破壊を防止できる。
【００９４】
図１１にはデジタルビデオカメラ９０の回路構成をブロック図で示している。なお、第１実施形態のデジタルカメラ１０の回路構成とは静止画像を撮影するためのシャッタや絞り等が設けられておらず、アナログ信号処理部３４、Ａ／Ｄ変換部３６、デジタル信号処理部３８によって動画データが作成され、テンポラリメモリ４０に動画データが保存される点が異なる。その他は、太陽電池パネル１４と燃料電池パネル１６が直列接続とされ、太陽電池パネル１４及び燃料電池パネル１６で発電された電力によって２次電池５１が充電される等、第１実施形態のデジタルカメラ１０の回路構成と同様である。
【００９５】
なお、第１乃至第７実施形態では、デジタルカメラ１０、１１、２０、２１、カメラ付携帯電話１００、１０１、及びデジタルビデオカメラ９０を例に取って本発明を説明したが、これに限らず、ノートパソコンやＰＤＡ等、モニタを備える機器に付いても適用可能である。
【００９６】
また、メタノール直接型燃料電池について説明したが、パネル状やシート状の他の種類の燃料電池にも適用可能である。
【図面の簡単な説明】
【００９７】
【図１】（Ａ）、（Ｂ）は第１実施形態のデジタルカメラを示す斜視図である。
【図２】第１実施形態のデジタルカメラの液晶表示パネル、太陽電池パネル、及び燃料電池パネルを示す断面図である。
【図３】第１実施形態のデジタルカメラの回路構成を示すブロック図である
【図４】第２実施形態のデジタルカメラの有機ＥＬ表示パネル、太陽電池パネル、及び燃料電池パネルを示す断面図である。
【図５】第３実施形態のデジタルカメラの液晶表示パネル、太陽電池パネル、及び燃料電池パネルを示す断面図である。
【図６】第４実施形態のデジタルカメラの有機ＥＬ表示パネル、太陽電池パネル、及び燃料電池パネルを示す断面図である。
【図７】（Ａ）、（Ｂ）は第５実施形態のカメラ付携帯電話を示す斜視図である。
【図８】第５実施形態のカメラ付携帯電話の液晶表示パネル、太陽電池パネル、及び燃料電池パネルを示す断面図である。
【図９】第６実施形態のカメラ付携帯電話の液晶表示パネル、太陽電池パネル、及び燃料電池パネルを示す断面図である。
【図１０】（Ａ）は第７実施形態のデジタルビデオカメラを示す斜視図であり、（Ｂ）は第７実施形態のデジタルビデオカメラの液晶表示パネル、太陽電池パネル、及び燃料電池パネルを示す断面図である。
【図１１】第７実施形態のデジタルビデオカメラの回路構成を示すブロック図である。
【符号の説明】
【００９８】
１０    デジタルカメラ（燃料電池搭載機器）
１１    デジタルカメラ（燃料電池搭載機器）
１２    液晶表示パネル（表示パネル）
１３    有機ＥＬ表示パネル（発光表示パネル）
１４    太陽電池パネル
１６    燃料電池パネル
１６Ａ  カーボンペーパー層（気体排出層）
２０    デジタルカメラ（燃料電池搭載機器）
２１    デジタルカメラ（燃料電池搭載機器）
２２    太陽電池パネル
２３    有機ＥＬ表示パネル（発光表示パネル）
５１    ２次電池
９０    デジタルビデオカメラ（燃料電池搭載機器）
９６    二酸化炭素吸収シート（二酸化炭素吸収部材）
１００    カメラ付携帯電話（燃料電池搭載機器）
１０１    カメラ付携帯電話（燃料電池搭載機器）
１０２    第１液晶表示パネル（第１表示パネル）
１０４    第２液晶表示パネル（第２表示パネル）
１３０    燃料電池
１３２    中空部
【図１】
2005116364.tif 000003
【図２】
2005116364.tif 000004
【図３】
2005116364.tif 000005
【図４】
2005116364.tif 000006
【図５】
2005116364.tif 000007
【図６】
2005116364.tif 000008
【図７】
2005116364.tif 000009
【図８】
2005116364.tif 000010
【図９】
2005116364.tif 000011
【図１０】
2005116364.tif 000012
【図１１】
2005116364.tif 000013